(57)【要約】【課題】利用者毎にコンテンツがパーソナライズされた情報誌を継続的に発行・配信するシステムであって、刻々変化する利用者自身の情報を適時取得して適時パーソナライズされたコンテンツを掲載した情報誌が発行・配信できるシステムを提供する。【解決手段】健康に関する情報を掲載した情報誌であって、購読開始時及び毎号発行・配信に際して、各利用者の心身・健康状態に関する情報を取得し、当該利用者に適時パーソナライズされた情報誌を継続的に発行・配信するシステム。【選択図】図１
2018025933.tif 000002
【特許請求の範囲】
【請求項１】
利用者の心身・健康状態に関する情報を含む情報を記憶する利用者情報データベース、
心身・健康状態に関する情報に対応した健康改善のための情報含む情報を記憶する健康改善情報データベース、
健康改善に関するコンテンツ情報含む情報を記憶するコンテンツ情報データベース、
前記利用者情報データベースに記憶された一利用者の心身・健康状態に関する情報と前記健康改善情報データベースに記憶された健康改善のための情報とから、前記一利用者の健康改善のために必要な情報を抽出する健康改善判定部、
前記健康改善判定部において抽出された前記一利用者の健康改善のために必要な情報に基づいて、前記コンテンツ情報データベースから前記一利用者の健康改善に関するコンテンツ情報を抽出して、健康情報誌のコンテンツ編集情報を生成するコンテンツ編集部
を有する健康情報誌編集用サーバと、
前記コンテンツ編集部において生成されたコンテンツ編集情報に基づき、当該情報を掲載した健康情報誌を制作するための情報処理を行う健康情報誌発行用サーバとから構成される情報誌発行システムにおいて、
前記健康情報誌には、前記一利用者の現時点での心身・健康状態に関する情報を取得するための記入欄を含んでおり、
前記記入欄の記入情報の入力を受けた健康情報誌編集用サーバは、利用者情報データベースにおける前記一利用者の心身・健康状態に関する情報を当該入力情報に基づいて更新することを特徴とする情報誌発行システム。
【請求項２】
前記健康情報誌の記入欄は、前記一利用者の現時点での心身・健康状態に関する主観的健康情報を取得するためのものであることを特徴とする請求項１に記載の情報誌発行システム。
【請求項３】
前記健康情報誌の記入欄は、前記一利用者の現時点での心身・健康状態に関する客観的健康情報を取得するためのものであることを特徴とする請求項１又は２に記載の情報誌発行システム。
【請求項４】
前記健康情報誌は、前記一利用者の健康改善に関するコンテンツ情報として、前記一利用者の行動に関する指導情報が含まれており、
前記健康情報誌の記入欄は、前記指導情報に基づいた行動の記録を取得するためのものであることを特徴とする請求項１から３のいずれか１項に記載の情報誌発行システム。
【請求項５】
前記一利用者が計測デバイスを用いて身体状態に関する任意の計測を行った計測データを取得し、利用者情報データベースにおける前記一利用者の心身・健康状態に関する情報を当該取得した計測データに基づいて更新することを特徴とする請求項１から４のいずれか１項に記載の情報誌発行システム。
【請求項６】
前記健康情報誌は、前記一利用者の健康改善に関するコンテンツ情報として、前記一利用者の現時点での心身・健康状態に関する判定情報を含んでいることを特徴とする請求項１から５のいずれか１項に記載の情報誌発行システム。
【請求項７】
前記一利用者の現時点での心身・健康状態に関する判定情報は、前記利用者情報データベースに記憶された前記一利用者の客観的健康情報に基づき生成されるものであることを特徴とする請求項６に記載の情報誌発行システム。
【請求項８】
前記健康情報誌は、前記一利用者が行動に関する指導情報に基づいて行動する際に、前記一利用者が一定期間定期的に計測した身体に関する計測値を取得するための記入欄を含んでおり、
前記健康情報誌編集用サーバは、当該取得された計測値に基づき、前記一利用者の前記一定期間における身体の変化を可視化した情報を健康情報誌のコンテンツ編集情報に含めることを特徴とする請求項４に記載の情報誌発行システム。
【請求項９】
前記一利用者の前記一定期間における身体の変化を可視化した情報は、前記取得された計測値をグラフ表示したものであることを特徴とする請求項８に記載の情報誌発行システム。
【請求項１０】
前記一利用者の前記一定期間における身体の変化を可視化した情報は、前記取得された計測値を、その計測時点が判別できるようにグラフ表示したものであることを特徴とする請求項８に記載の情報誌発行システム。
【請求項１１】
前記一利用者が一定期間定期的に計測した身体に関する計測値は、体脂肪率及びＢＭＩであることを特徴とする請求項８から１０のいずれか１項に記載の情報誌発行システム。
【発明の詳細な説明】
【技術分野】
【０００１】
本発明は、利用者毎にコンテンツがパーソナライズされた情報誌を継続的に発行・配信するシステムに関し、特に、利用者が情報誌のコンテンツに基づき提供する利用者自身の情報を利用して次号以降のコンテンツのパーソナライズを行う情報誌発行・配信システムに関するものである。
ここで言う情報誌とは、主に紙に印刷された情報誌を意味するが、電子書籍をも含むものとする。
【背景技術】
【０００２】
従来、新聞紙、雑誌等の制作過程においては、文字や図版などの要素を所定の配置で組み合わせた版を作成する組版工程が印刷工程の一部として存在した。近年では、パーソナルコンピュータの普及と、ＤＴＰ（Ｄｅｓｋ Ｔｏｐ Ｐｕｂｌｉｓｈｉｎｇ）ソフトウェアの普及により、コンピュータ上でレイアウト作業が行われるのが一般的になっている。
【０００３】
さらには、コンピュータ上で、予め用意された紙面レイアウトのテンプレートに所定のテキストや画像を挿入することで自動的にレイアウトが完成する自動組版システムが広く利用されている。特許文献１及び特許文献２には、そのような自動組版システムの例が示されている。
【先行技術文献】
【特許文献】
【０００４】
【特許文献１】特開２０１４−１６４４２３号公報
【特許文献２】特開２００８−１４６６３５号公報
【特許文献３】特開２００３−１３２２７３号公報
【発明の概要】
【発明が解決しようとする課題】
【０００５】
上記のように雑誌等の制作過程が自動化されるとともに、雑誌がオンライン配信されることが一般的となってきたことに伴い、利用者毎に、趣味趣向に合わせたコンテンツが掲載された雑誌を配信することで、利用者の満足度を高め継続的な購読を促す方法が提案されている。
特許文献３には、予め取得してある、利用者の属性情報及び作品の好みに関する情報に基づき、各利用者の好みに則した作品を選択してオンライン雑誌を編集し、各利用者に配信するオンライン雑誌配信システムが提案されている。
【０００６】
しかしながら、このオンライン雑誌配信システムは、利用者の属性情報及び作品の好みに関する情報といった固定的な情報に基づいてコンテンツを提案するものであるため、オンライン雑誌毎号の内容が代わり映えせず、継続的な購読をさせる動機付けはさほど強くないと考えられる。
これに対し、刻々変化する利用者自身の情報を適時取得し、コンテンツに反映することができれば、利用者に継続的な購読をさせる強い動機付けになるものと考えられる。
【０００７】
本発明は、このような実情に鑑みてなされたものであり、利用者毎にコンテンツがパーソナライズされた情報誌を継続的に発行・配信するシステムであって、刻々変化する利用者自身の情報を適時取得して適時パーソナライズされたコンテンツを掲載した情報誌が発行・配信できるシステムを提供しようとするものである。
【課題を解決するための手段】
【０００８】
上記解決課題に鑑みて鋭意研究の結果、本発明者は、健康に関する情報を掲載した情報誌であって、購読開始時及び毎号発行・配信に際して、各利用者の心身・健康状態に関する情報を取得し、当該利用者に適時パーソナライズされた情報誌を継続的に発行・配信するシステムを構築できることに想到した。
【０００９】
すなわち、本発明は、利用者の心身・健康状態に関する情報を記憶する利用者情報データベース、心身・健康状態に関する情報に対応した健康改善のための情報を記憶する健康改善情報データベース、健康改善に関するコンテンツ情報を記憶するコンテンツ情報データベース、前記利用者情報データベースに記憶された一利用者の心身・健康状態に関する情報と前記健康改善情報データベースに記憶された健康改善のための情報とから、前記一利用者の健康改善のために必要な情報を抽出する健康改善判定部、前記健康改善判定部において抽出された前記一利用者の健康改善のために必要な情報に基づいて、前記コンテンツ情報データベースから前記一利用者の健康改善に関するコンテンツ情報を抽出して、健康情報誌のコンテンツ編集情報を生成するコンテンツ編集部を有する健康情報誌編集用サーバと、前記コンテンツ編集部において生成されたコンテンツ編集情報に基づき、当該情報を掲載した健康情報誌を制作するための情報処理を行う健康情報誌発行用サーバとから構成される情報誌発行システムにおいて、前記健康情報誌には、前記一利用者の現時点での心身・健康状態に関する情報を取得するための記入欄を含んでおり、前記記入欄の記入情報の入力を受けた健康情報誌編集用サーバは、利用者情報データベースにおける前記一利用者の心身・健康状態に関する情報を当該入力情報に基づいて更新することを特徴とする情報誌発行システムを提供するものである。
【００１０】
本発明の情報誌発行システムにおいて、前記健康情報誌の記入欄は、前記一利用者の現時点での心身・健康状態に関する主観的健康情報を取得するためのもの、又は、前記一利用者の現時点での心身・健康状態に関する客観的健康情報を取得するためのものの少なくとも一方を含んでいることを特徴とする。
本発明の情報誌発行システムにおいて、前記健康情報誌は、前記一利用者の健康改善に関するコンテンツ情報として、前記一利用者の行動に関する指導情報が含まれており、前記健康情報誌の記入欄は、前記指導情報に基づいた行動の記録を取得するためのものであることを特徴とする。
【００１１】
本発明の情報誌発行システムにおいて、前記一利用者が計測デバイスを用いて身体状態に関する任意の計測を行った計測データを取得し、利用者情報データベースにおける前記一利用者の心身・健康状態に関する情報を当該取得した計測データに基づいて更新することを特徴とする。
【００１２】
本発明の情報誌発行システムにおいて、前記健康情報誌は、前記一利用者の健康改善に関するコンテンツ情報として、前記一利用者の現時点での心身・健康状態に関する判定情報が含まれていることを特徴とする。この、判定情報は、前記利用者情報データベースに記憶された前記一利用者の客観的健康情報に基づき生成されるものであることを特徴とする。
【００１３】
本発明の情報誌発行システムにおいて、前記健康情報誌は、前記一利用者が行動に関する指導情報に基づいて行動する際に、前記一利用者が一定期間定期的に計測した身体に関する計測値を取得するための記入欄を含んでおり、前記健康情報誌編集用サーバは、当該取得された計測値に基づき、前記一利用者の前記一定期間における身体の変化を可視化した情報を健康情報誌のコンテンツ編集情報に含めることを特徴とする。
ここで、前記一利用者の前記一定期間における身体の変化を可視化した情報とは、例えば、前記取得された計測値をグラフ表示したものである。さらには、前記取得された計測値を、その計測時点が判別できるようにグラフ表示するのが好ましい。計測値の一例としては、体脂肪率及びＢＭＩが挙げられる。
【発明の効果】
【００１４】
以上、説明したように、本発明によれば、利用者毎にコンテンツがパーソナライズされた情報誌を継続的に発行・配信するシステムであって、刻々変化する利用者自身の情報を適時取得して適時パーソナライズされたコンテンツを掲載した情報誌が発行・配信できるシステムが提供される。
【図面の簡単な説明】
【００１５】
【図１】本発明の一実施形態にかかるパーソナライズされた健康情報誌の発行・配信システムの概要を示す図である。
【図２】図１に示す健康情報誌発行・配信システムの健康情報誌編集用サーバの内部構成を概略的に示す図である。
【図３】図１に示す健康情報誌発行・配信システムの利用の流れを示すフロー図である。
【図４】「利用者が健康改善指導に従って行動した結果の記録欄」の例を示す図である。
【図５】「利用者が健康改善指導に従って行動した結果の記録欄」の例を示す図である。
【図６】利用者の体脂肪率及びＢＭＩの計測値の変化を可視化させたグラフである。
【図７】利用者の体脂肪率及びＢＭＩの計測値の変化を可視化させたグラフである。
【図８】利用者の体脂肪率及びＢＭＩの計測値の変化を可視化させたグラフである。
【図９】本発明の一実施形態にかかるパーソナライズされた健康情報誌の発行・配信システムの他の利用形態について全体構成を概略的に示す図である。
【発明を実施するための形態】
【００１６】
以下、添付図面を参照しながら、本発明のパーソナライズされた情報誌の発行・配信システムを実施するための最良の形態として、パーソナライズされた健康情報誌の発行・配信システムについて詳細に説明する。図１〜図３は、本発明の実施の形態を例示する図であり、これらの図において、同一の符号を付した部分は同一物を表わし、基本的な構成及び動作は同様であるものとする。
【００１７】
システム構成
図１は、本発明の一実施形態にかかるパーソナライズされた健康情報誌の発行・配信システムの概要を示す図である。
図１において、本実施形態の健康情報誌発行・配信システムは、健康情報誌編集用サーバ１００、健康情報誌発行用サーバ２００、入出力端末３００から構成される。
本実施形態の健康情報誌発行・配信システムは、本システムの管理者が保有し管理する健康情報誌編集用サーバ１００が中心となって、健康情報誌発行用サーバ２００、入出力端末３００のそれぞれと情報通信を行い、情報処理を行うことでその諸機能が実現されるものである。図中、健康情報誌編集用サーバ１００、健康情報誌発行用サーバ２００、入出力端末３００はそれぞれ独立した構成としているが、これらを一体のコンピュータ装置として構成してもよい。
【００１８】
図１に示すように、本実施形態の健康情報誌発行・配信システムから継続的に発行・配信される健康情報誌を利用者４００が取得し、また、利用者４００は取得した健康情報誌の内容に応じて自身の心身・健康状態に関する情報（以下、単に「健康情報」という）を健康情報誌発行・配信システムに提供することができるようになっている。
【００１９】
図２は、図１に示す健康情報誌発行・配信システムの健康情報誌編集用サーバ１００の内部構成を概略的に示す図である。
図２において、健康情報誌編集用サーバ１００は、利用者の属性情報及び健康情報を記憶する利用者情報データベース１０１、健康情報に対応した健康改善のための情報を記憶する健康改善情報データベース１０２、健康情報誌の構成要素である健康改善のために有用なコンテンツ情報を記憶するコンテンツ情報データベース１０３からなるデータベース群を有している。
また、健康情報誌編集用サーバ１００は、利用者情報データベース１０１から取得される利用者毎の健康情報と健康改善情報データベース１０２から取得される健康改善のための情報とから、当該利用者の健康改善のために必要な情報を抽出する健康改善判定部１０４、健康改善判定部１０４から取得される情報に基づいて当該利用者の健康改善のために有用なコンテンツ情報をコンテンツ情報データベース１０３から抽出し、健康情報誌のコンテンツを編集するコンテンツ編集部１０５からなるソフトウェア群を有している。この他、健康情報誌編集用サーバ１００は一般的な記憶手段や通信処理部、入出力処理部などを備えている。
【００２０】
図１に示す健康情報誌発行用サーバ２００は、健康情報誌編集用サーバ１００から、利用者毎にコンテンツを編集された編集情報（原稿、画像、レイアウト等のデータを含む）を受け取り、これに基づき、健康情報誌の組版や印刷などに必要な情報処理を行う。この際、健康情報誌編集用サーバ１００ないしは入出力端末３００との間での情報通信により校正作業を行うこととしてもよい。健康情報誌発行用サーバ２００の指示に基づき、利用者毎にコンテンツがパーソナライズされた健康情報誌が制作される。
尚、健康情報誌発行用サーバ２００は、本システムの管理者が保有するものとしてもよいし、印刷業者等が保有するものとしてもよい。
【００２１】
図１に示す入出力端末３００は、本システムの管理者が主に健康情報誌編集用サーバ１００のデータベース群に対して情報入力を行うための端末である。
【００２２】
システム利用形態
上記のように構成された本実施形態の健康情報誌発行・配信システムの利用形態について説明する。
図３は、本実施形態の健康情報誌発行・配信システムの利用の流れを示すフロー図である。
図３において、まず、利用者が本システムに利用登録をし、自身の属性情報や健康情報などを健康情報誌編集用サーバに提供する。この利用登録は、利用者が情報端末から本システムにアクセスして情報送信することで行ってもよいし、情報を記載した紙面等を提出することで行ってもよい。後者の場合、紙面等に記載された情報は、入出力端末を通じて健康情報誌編集用サーバに入力される。こうして、各利用者の属性情報及び健康情報（その時点の情報）が健康情報誌編集用サーバの利用者情報データベースに記憶される。
【００２３】
健康情報誌編集用サーバは、本システムの利用を開始した利用者に向けて、初回配布用の健康情報誌のコンテンツ編集を行う。コンテンツ編集は、上記したとおり、利用者情報データベースから取得される当該利用者の健康情報に基づき、健康改善情報データベースから健康改善のための情報を取得し、その情報に基づいて当該利用者の健康改善のために有用なコンテンツ情報をコンテンツ情報データベースから抽出して編集を行うものである。こうして生成されたコンテンツ編集情報は健康情報誌発行用サーバに送信される。
【００２４】
健康情報誌発行用サーバでは、受信したコンテンツ編集情報に基づき、従来の自動組版システムなどを利用して、健康情報誌の組版や印刷などに必要な情報処理を行う。こうして、当該利用者のためにコンテンツがパーソナライズされた健康情報誌が制作され、利用者に配布される。
【００２５】
利用者は、健康情報誌を読み、自身に有用な情報を効率よく入手することができる。
さらに、利用者は、健康情報誌に掲載されている健康情報アンケート（健康情報誌に付随して別途配布・配信される健康情報アンケートを含む、以下同様）に回答したものを発行者に送付する（オンラインによる情報送信でもよい）。紙面等に記載された情報は、入出力端末を通じて健康情報誌編集用サーバに入力され、利用者情報データベースにおける当該利用者の健康情報に追記・上書きされる。
【００２６】
健康情報誌編集用サーバは、前回配布の健康情報誌に掲載された健康情報アンケートへの回答によって追記・上書きされた当該利用者の健康情報を利用者情報データベースから取得し、上記同様の手順で新たな健康情報誌のコンテンツ編集を行う。続いて、上記同様、コンテンツ編集情報に基づき、健康情報誌発行用サーバにおいて必要な情報処理を行い、当該利用者のための健康情報誌が制作され、配布される。
【００２７】
この２度目に配布された健康情報誌は、当該利用者の利用登録時の健康情報に加えて、初回配布の健康情報誌に掲載された健康情報アンケートへの回答から得られた情報によって、当該利用者にとってさらに適したコンテンツが掲載されたものとなる。以後、本実施形態の健康情報誌発行・配信システムにおいて配布される健康情報誌は、配布される毎にコンテンツがより適切にパーソナライズされたものとなる。
すなわち、毎号の健康情報誌が当該時点での利用者の健康状態にタイムリーに適合したコンテンツであるので、利用者はこの情報を活用することにより、当該時点で有用な情報を取得し活用することが可能となる。
尚、健康改善情報データベースにおいては、一時点での健康情報に基づく健康改善情報のみならず、一定期間をかけて健康を改善する経時的プログラムを有していてもよい。
【００２８】
健康情報誌の構成
本実施形態の健康情報誌発行・配信システムによって制作される健康情報誌の構成の一例は、下記の通りである。
・利用者に有用となる健康情報コンテンツ
・利用者の現時点での健康状態分析情報
・利用者に対する健康改善指導の情報
・利用者が健康改善指導に従って行動し記録するための方法を説明する情報
・利用者が健康改善指導に従って行動した結果の記録欄
・利用者の現時点での心身・健康状態の記録欄（アンケート、カルテ等の形式）
・利用者が健康改善指導に従って行動した成果の可視化された情報
・上記の可視化された情報を説明する情報
上記のうち、利用者に向けた情報は全て、当該利用者向けにパーソナライズされたものであり、当該利用者が記録欄に書き込む情報もまた当該利用者の当該時点でのパーソナライズされた情報である。
図４及び図５は、「利用者が健康改善指導に従って行動した結果の記録欄」の例を示す図である。
【００２９】
上記における「利用者が健康改善指導に従って行動した成果の可視化された情報」とは、利用者が身体に関する計測値を「利用者が健康改善指導に従って行動した結果の記録欄」に日々記録した情報に基づき、本システムにおいて可視化を行い、次号以降の健康情報誌に掲載されるものである。
例えば、利用者が体脂肪率及びＢＭＩ（Ｂｏｄｙ Ｍａｓｓ Ｉｎｄｅｘ；体重値（ｋｇ）÷身長値（ｃｍ）２の計算式で算出される値）の計測値を定期的に（例えば一日一回）記録し、一定期間（例えば３０日間や６０日間）におけるその変化をグラフ等で可視化させることができる。
図６〜図８は、利用者の体脂肪率及びＢＭＩの計測値の変化を可視化させたグラフである。図６は６０日間のプロット、図７は同６０日間のうち１〜３０日間のプロット、図８は同６０日間のうち３０〜６０日間のプロットを表示している。
このように一定期間定期的に記録した身体に関する計測値の推移をグラフで可視化した情報を提示することで、利用者は、利用者の社会・生活環境、年齢、心と気持ちの状態を照らし合わせた身体活動、食生活を含む心身の健康改善指導に従って行動した結果を直感的に分かりやすい方法で確認することができる。尚、各プロットを計測時点によって色分けしたり濃淡差をつけて表示することで、計測値の推移の方向性（図６）、拡散（図７）、収束（図８）を分かりやすく表示できる。特に、図８では計測値の収束を予測することが可能である。
また、これらの情報に基づき利用者の社会・生活環境、年齢、心と気持ちの状態を
照らし合わせた身体活動、食生活を含む心身の健康改善指導や回帰分析を行った結果を提示してもよい。
【００３０】
健康情報の内容
本実施形態の健康情報誌発行・配信システムにおいて、利用者との間でやり取りされ、システムに蓄積される利用者自身の健康情報は、下記の内容を含むものである。
・利用者が提供する主観的健康情報（予め設定された設問・アンケートへの回答、自覚症状など）
・利用者が提供する客観的健康情報（身体状態に関する各種の計測値、医療機関による診断結果、食事・運動等の行動記録など）
・本システムによる利用者の客観的な健康状態分析情報
上記における「本システムによる利用者の客観的な健康状態分析情報」とは、利用者が提供する客観的健康情報に対して、本システムが保有する客観的な分析手法を適用して導き出される分析結果である。例えば、利用者の身体に関する各種計測値に基づき、健康状態を分析した結果である。
【００３１】
他の利用形態
本発明の健康情報誌発行・配信システムの他の利用形態について説明する。
図７は、本発明の健康情報誌発行・配信システムの他の利用形態について全体構成を概略的に示す図である。
図７に示すように、利用者４００は、身体状態に関する任意の計測を行う計測デバイス５００を利用しており、計測デバイス５００による計測データを、健康情報とともに、健康情報誌発行・配信システムに提供することができるようになっている。
【００３２】
以上、本発明のパーソナライズされた情報誌の発行・配信システムについて、具体的な実施の形態を示して説明したが、本発明はこれらに限定されるものではない。当業者であれば、本発明の要旨を逸脱しない範囲内において、上記各実施形態における各サーバの構成及び機能に様々な変更・改良を加えることが可能である。
【産業上の利用可能性】
【００３３】
本発明のパーソナライズされた情報誌の発行・配信システムは、図２等に示すように、コンピュータのＣＰＵ、メモリ、補助記憶装置、ディスプレイ、入力デバイス等を含むハードウェア資源上に構築されたＯＳ、アプリケーションソフトウェア、データベース、ネットワークシステム等によって実現されるものであり、利用者から取得される情報に基づくパーソナライズされた情報誌の発行・配信という情報処理が上記のハードウェア資源を用いて具体的に実現されるものであるから、自然法則を利用した技術的思想に該当するものであり、各種の産業において利用することができるものである。
【符号の説明】
【００３４】
１００  健康情報誌編集用サーバ
１０１  利用者情報データベース
１０２  健康改善情報データベース
１０３  コンテンツ情報データベース
１０４  健康改善判定部
１０５  コンテンツ編集部
２００  健康情報誌発行用サーバ
３００  入出力端末
４００  利用者
５００  計測デバイス
【図１】
2018025933.tif 000003
【図２】
2018025933.tif 000004
【図３】
2018025933.tif 000005
【図４】
2018025933.tif 000006
【図５】
2018025933.tif 000007
【図６】
2018025933.tif 000008
【図７】
2018025933.tif 000009
【図８】
2018025933.tif 000010
【図９】
2018025933.tif 000011